(57)【要約】【課題】記録層の相対的な位置情報を簡便に取得可能な光ディスクを提供する。【解決手段】本発明の一の実施の形態に係る光ディスクは、内周側及び外周側の一方から他方に形成された渦巻き状の情報トラックに情報を記録する記録層を少なくとも２層備える。前記記録層は、内周側に位置する内周側領域と、前記内周側領域に対して外周側に位置し、コンテンツ情報を記録するデータ領域と、前記データ領域に対して外周側に位置する外周側領域とを備える。複数の前記記録層の前記内周側領域及び外周側領域の少なくとも一方には、前記情報トラックに、前記情報トラックに沿って前記記録層毎に異なる周期で且つ同一記録層内では隣接する情報トラック間で位相が一致するように形成された記録層判別情報が記録された記録層判別領域が設けられている。【選択図】図６
2019071163.tif 000002
【特許請求の範囲】
【請求項１】
内周側及び外周側の一方から他方に形成された渦巻き状の情報トラックに情報を記録する記録層を少なくとも２層備え、
前記記録層は、
内周側に位置する内周側領域と、
前記内周側領域に対して外周側に位置し、コンテンツ情報を記録するデータ領域と、
前記データ領域に対して外周側に位置する外周側領域と
を備え、
複数の前記記録層の前記内周側領域及び外周側領域の少なくとも一方には、前記情報トラックに、前記情報トラックに沿って前記記録層毎に異なる周期で且つ同一記録層内では隣接する前記情報トラック間で位相が一致するように形成された記録層判別情報が記録された記録層判別領域が設けられている
ことを特徴とする光ディスク。
【請求項２】
前記記録層判別領域は、トラッキング制御を必要とする領域外に設けられている
ことを特徴とする請求項１記載の光ディスク。
【請求項３】
前記記録層判別領域は、ＢＣＡ（Burst Cutting Area）の外周側に設けられている
ことを特徴とする請求項１又は２記載の光ディスク。
【請求項４】
所定の前記記録層の前記内周側領域は、ＢＣＡ（Burst Cutting Area）と、前記ＢＣＡよりも外周側に設けられた第１の保護領域を有し、
前記所定の記録層と異なる他の記録層の前記外周側領域は、リードアウト領域を有し、
前記記録層判別領域は、前記ＢＣＡの内周端若しくは外周端に相当する半径位置から、前記第１の保護領域の内周端に相当する半径位置までの領域、及び、前記リードアウト領域の外周端に相当する半径位置よりも外周側の領域のうちの少なくとも１つに設けられている
ことを特徴とする請求項１〜３のいずれか１項記載の光ディスク。
【請求項５】
前記記録層判別情報は、前記情報トラックに形成された複数のピットを含む
ことを特徴とする請求項１〜４のいずれか１項記載の光ディスク。
【請求項６】
前記記録層判別情報は、前記情報トラックに形成されたウォブル溝を含む
ことを特徴とする請求項１〜５のいずれか１項記載の光ディスク。
【発明の詳細な説明】
【技術分野】
【０００１】
本発明は、複数の記録層を有する光ディスクに関する。
【背景技術】
【０００２】
ＣＤやＤＶＤ等の光ディスクの高密度化が進んでいる。近年、青紫色レーザの開発により、ＤＶＤよりも更に記録密度を高めたＢＤ（Blu-ray(登録商標) Disc）が実現された。このようなＢＤに複数の記録層を設けることにより、光ディスクの更なる大容量化を行う事が可能である。
【０００３】
複数の記録層を形成する光ディスクにおいて、現在記録又は再生している記録層がどの記録層であるかを判別する技術としては、特許文献１及び特許文献２に開示されたものが知られている。
【先行技術文献】
【特許文献】
【０００４】
【特許文献１】特開平３−２１９４４０号公報
【特許文献２】特表２００７−５００４１０号公報
【発明の概要】
【発明が解決しようとする課題】
【０００５】
特許文献１に開示された技術は、光ディスクの各記録層にアドレスが記録された識別部が形成され、このアドレスによって記録層を識別する。また、特許文献２に開示された技術は、光ディスクのリードイン領域のＰＩＣ帯（Permanent Information & Control Zone）に記録層を識別する識別データを記録するものである。
【０００６】
しかし、これらの先行技術は、いずれもオントラック状態で記録層を識別するものであり、記録層の識別に時間がかかるという問題がある。本発明はこのような課題に鑑みなされたものであり、各記録層を簡便に判別可能な光ディスクを提供することを目的とする。
【課題を解決するための手段】
【０００７】
本発明の一の実施の形態に係る光ディスクは、内周側及び外周側の一方から他方に形成された渦巻き状の情報トラックに情報を記録する記録層を少なくとも２層備える。前記記録層は、内周側に位置する内周側領域と、前記内周側領域に対して外周側に位置し、コンテンツ情報を記録するデータ領域と、前記データ領域に対して外周側に位置する外周側領域とを備える。複数の前記記録層の前記内周側領域及び外周側領域の少なくとも一方には、前記情報トラックに、前記情報トラックに沿って前記記録層毎に異なる周期で且つ同一記録層内では隣接する情報トラック間で位相が一致するように形成された記録層判別情報が記録された記録層判別領域が設けられている。
【０００８】
ここで、上記実施の形態に係る光ディスクにおいては、情報トラックに、情報トラックに沿って記録層毎に異なる周期で且つ同一記録層内では隣接する情報トラック間で位相が一致するように形成された記録層判別情報が記録された記録層判別領域が設けられている。従って、フォーカス制御がなされていれば、トラッキング制御がなされていない状態であっても、その記録層に対して設定された周期信号を検出することができる。従って、このような実施の形態に係る光ディスクによれば、上記トラッキングを省略して高速かつ簡便に記録層の判別をすることが可能な光ディスクを提供することが可能となる。
【０００９】
上記記録層判別領域は、トラッキング制御を必要とする領域外に設けられていても良い。更に言えば、上記記録層判別領域は、ＢＣＡ（Burst Cutting Area）の外周側に設けられていても良い。
【００１０】
更に言えば、所定の記録層の内周側領域は、ＢＣＡ（Burst Cutting Area）と、ＢＣＡよりも外周側に設けられた第１の保護領域を有し、他の記録層の外周側領域は、リードアウト領域を有していても良く、上記記録層判別領域は、ＢＣＡの内周端若しくは外周端に相当する半径位置から、第１の保護領域の内周端に相当する半径位置までの領域、及び、リードアウト領域の外周端に相当する半径位置よりも外周側の領域のうちの少なくとも１つに設けられていても良い。
【００１１】
上記記録層判別情報は、情報トラックに形成された複数のピットを含んでいても良いし、情報トラックに形成されたウォブル溝を含んでいても良い。
【発明の効果】
【００１２】
本発明によれば、記録層の相対的な位置情報を簡便に取得可能な光ディスクを提供することが可能となる。
【図面の簡単な説明】
【００１３】
【図１】本発明の第１の実施の形態に係る光ディスク１の一例を示す概略的な斜視図である。
【図２】Ａ−Ａ′断面における記録層Ｌ０の記録情報のレイアウトを示す図である。
【図３】Ａ−Ａ′断面における記録層Ｌ１の記録情報のレイアウトを示す図である。
【図４】Ａ−Ａ′断面における記録層Ｌ２の記録情報のレイアウトを示す図である。
【図５】内周側Ｌ０判別領域１１の概略的な拡大斜視図である。
【図６】内周側Ｌ０判別領域１１における情報トラックの構成を説明するための概略的な平面図である。
【図７】内周側Ｌ１判別領域１２における情報トラックの構成を説明するための概略的な平面図である。
【図８】内周側Ｌ２判別領域１３における情報トラックの構成を説明するための概略的な平面図である。
【図９】本発明の第２の実施の形態に係る内周側Ｌ０判別領域１１−２の概略的な拡大斜視図である。
【図１０】同実施の形態に係る内周側Ｌ０判別領域１１−２における情報トラックの構成を説明するための概略的な平面図である。
【図１１】同実施の形態に係る内周側Ｌ１判別領域１２−２における情報トラックの構成を説明するための概略的な平面図である。
【図１２】同実施の形態に係る内周側Ｌ２判別領域１３−２における情報トラックの構成を説明するための概略的な平面図である。
【図１３】本発明の第３の実施の形態に係る内周側Ｌ０判別領域１１−３における情報トラックの構成を説明するための概略的な平面図である。
【図１４】同実施の形態に係る内周側Ｌ１判別領域１２−３における情報トラックの構成を説明するための概略的な平面図である。
【図１５】同実施の形態に係る内周側Ｌ２判別領域１３−３における情報トラックの構成を説明するための概略的な平面図である。
【図１６】他の実施の形態に係る内周側Ｌ０判別領域１１−４における情報トラックの構成を説明するための概略的な拡大斜視図である。
【図１７】他の実施の形態に係る内周側Ｌ０判別領域１１−５における情報トラックの構成を説明するための概略的な拡大斜視図である。
【発明を実施するための形態】
【００１４】
［本発明の第１の実施の形態に係る光ディスクの概略構成］
図１は、本発明の第１の実施の形態に係る光ディスク１の一例を示す概略的な斜視図である。本実施の形態に係る光ディスク１は３層の記録層Ｌ０〜Ｌ２を積層してなる積層型のブルーレイディスクＲＯＭ又は記録型ディスクである。記録層Ｌ０〜Ｌ２の記録面には、内周側の所定の領域に位置する内周側領域１０と、内周側領域１０に対して外周側に位置し、コンテンツ情報を記録するデータ領域２０と、データ領域２０に対して外周側に位置する外周側領域３０とが設けられる。
【００１５】
尚、本実施の形態に係る光ディスク１は、記録層Ｌ０においては内周側から外周側にかけて情報が記録又は再生され、記録層Ｌ１においては外周側から内周側にかけてその続きの情報が記録又は再生され、記録層Ｌ２においては内周側から外周側にかけて更にその続きの情報が記録又は再生される。記録又は再生のための光は、図１における光ディスク１の下面側から照射され、光源から最も遠い記録層がＬ０、最も近い記録層がＬ２となっている。光源の焦点位置を上下に移動させることで記録層Ｌ０〜Ｌ２の情報が記録又は再生される。
【００１６】
図２は、記録層Ｌ０のＡ−Ａ′断面における記録情報のレイアウトを示す図である。本実施の形態において、内周側領域（Inner Zone）ＩＺ（１０）は、内周側から順に、ＢＣＡ（Burst Cutting Area）と、内周側Ｌ０判別領域ＩＬ０とを有する。ＢＣＡは、光ディスク１に関する種々の情報を記録する領域で、光ディスク製造原盤に記録され、または光ディスクの製造後にレーザによって外部より形成される。
【００１７】
また、内周側領域ＩＺは、リードイン領域としても利用され、第１の保護領域（Protection Zone）ＰｒＺ１と、ＰＩＣ領域（Permanent Information & Control Zone）ＰＩＣと、第２の保護領域ＰｒＺ２と、情報／予約領域（INFO/Reserved）Ｉ／Ｒとを有する。
【００１８】
光ディスク１が記録型メディアである場合、第１の保護領域ＰｒＺ１及び第２の保護領域ＰｒＺ２は、それぞれ内周側Ｌ０判別領域ＩＬ０（１１）及びＰＩＣ領域ＰＩＣへのデータの書き込み量が所定以上となった場合に、ＰＩＣ領域ＰＩＣや情報／予約領域Ｉ／Ｒにデータの上書きが行われることを防止する。
【００１９】
一方、光ディスク１がＲＯＭ型メディアである場合、第1の保護領域ＰｒＺ１は、ＢＣＡのレーザー書き込みがＰＩＣ領域に影響することを防止する。また、第２の保護領域ＰｒＺ２は、後述するｗｉｄｅ  ｐｉｔｃｈ領域とｎｏｒｍａｌ  ｐｉｔｃｈ領域の間に設けられ、情報トラック上におけるピッチ間隔の切り替えによる信号乱れが読み取りドライブの動作に影響することを防止する。
【００２０】
ＰＩＣ領域ＰＩＣは、コンテンツ情報のアドレスや光ディスク１の再生パラメータ等、光ディスク１に関する種々の情報を記録する。同様に、情報／予約領域Ｉ／Ｒも、光ディスク１に関する種々の情報を記録する。
【００２１】
本実施の形態において、データ領域（Data Zone）ＤＺ（２０）は、例えば映画や音楽、プログラム等のコンテンツ情報を記録する領域である。
【００２２】
本実施の形態において、外周側領域（Outer Zone）ＯＺ（３０）は、データ領域ＤＺの外周側の領域である。外周側領域ＯＺは、後述するリードアウト領域３４（図４）の外周端に相当する半径位置よりも外周側の領域に設けられた外周側Ｌ０判別領域ＯＬ０（３１）を有する。
【００２３】
図３は、記録層Ｌ１のＡ−Ａ′断面における記録情報のレイアウトを示す図である。本実施の形態に係る光ディスク１が３層の記録層を有するＲＯＭ型メディアである場合、記録層Ｌ１には、ＢＣＡ、リードイン領域及びリードアウト領域（図４）は設けられていない。また、ＢＣＡ（図２）の外周端に相当する半径位置から、おおよそ第１の保護領域ＰｒＺ１の内周端に相当する半径位置までの領域には内周側Ｌ１判別領域ＩＬ１が設けられており、後述するリードアウト領域３４（図４）の外周端に相当する半径位置よりも外周側の領域には外周側Ｌ１判別領域ＯＬ１が設けられている。
【００２４】
図４は、記録層Ｌ２のＡ−Ａ′断面における記録情報のレイアウトを示す図である。本実施の形態に係る光ディスク１が３層の記録層を有するＲＯＭ型メディアである場合、記録層Ｌ２には、ＢＣＡ及びリードイン領域が設けられていない。また、ＢＣＡ（図２）の外周端に相当する半径位置から、おおよそ第１の保護領域ＰｒＺ１の内周端に相当する半径位置までの領域には内周側Ｌ２判別領域ＩＬ２が設けられている。
【００２５】
更に、記録層Ｌ２の外周側領域ＯＺには、内周側から順にリードアウト領域３４と、外周側Ｌ２判別領域ＯＬ２が設けられている。
【００２６】
本実施の形態に係る光ディスク１が記録型ディスクである場合、情報トラックは、記録層のほぼ全面にわたって形成されているが、第１の保護領域ＰｒＺ１及び第２の保護領域ＰｒＺ２、並びに記録層Ｌ１及びＬ２における内周側Ｌ１判別領域及び内周側Ｌ２判別領域よりも内周側の領域においては、形成されていない。また、情報トラックの半径方向における間隔及びピットの回転方向における間隔は、上述した第２の保護領域ＰｒＺ２より内周側に設けられた領域（ｗｉｄｅ  ｐｉｔｃｈ領域）においては比較的広く、外周側に設けられた領域（ｎｏｒｍａｌ  ｐｉｔｃｈ領域）においては比較的狭い。ここで、ｗｉｄｅ  ｐｉｔｃｈ領域におけるピットの間隔は、例えばＣＤやＤＶＤ等のレーザ光を用いて読み出せるように調整しても良い。
【００２７】
以下、内周側Ｌ０判別領域ＩＬ０、外周側Ｌ０判別領域ＯＬ０、内周側Ｌ１判別領域ＩＬ１、外周側Ｌ１判別領域ＯＬ１、内周側Ｌ２判別領域ＩＬ２及び外周側Ｌ２判別領域ＯＬ２を、併せて記録層判別領域と呼ぶ。各記録層判別領域には、光ピックアップがどの記録層にアクセスしているかを識別するための記録層判別情報が記録されている。
【００２８】
［記録層判別領域の構成］
次に、本実施の形態に係る記録層判別領域の構成について説明する。図５は、内周側Ｌ０判別領域ＩＬ０（１１）の概略的な拡大斜視図である。内周側Ｌ０判別領域ＩＬ０（１１）には、内周側から外周側に渦巻き状に形成され、凸部を形成するグルーブ１１１及び凹部を形成するランド１１２を有する情報トラックが設けられる。尚、本実施の形態に係る情報トラックは、グルーブ１１１及びランド１１２を有しているが、後述の通り、グルーブ１１１上又はランド１１２上にピットを形成し、グルーブ１１１、ランド１１２及びピットから情報トラックを形成する事も可能である。
【００２９】
グルーブ１１１は、情報トラックの進行方向に沿って進行し、光ディスク１の内周方向及び外周方向に周期的に蛇行したウォブル溝を形成している。図５に示す通り、グルーブ１１１が蛇行する周期は、光ディスク１が所定の回転角度θだけ回転する間に読み出される情報トラック上の所定の距離である。ここで、回転角度θは整数倍することによって３６０°となる。従って、半径方向に隣接するグルーブ１１１が形成する波の位相は等しくなる。また、この周期は光ディスク１の回転角度θによって規定されているため、所定の波の波長λ１は、この波に対して外周側に隣接する波の波長λ２よりも短い。しかし、ＣＡＶ（Constant Angular Velocity）制御によって読み出される信号の周波数は一定となる。本実施の形態においては、この一定のウォブル信号の周波数により記録層を判別する。
【００３０】
次に、各記録層判別領域の具体的な構成について説明する。図６〜８は、それぞれ内周側の記録層判別領域１１〜１３における情報トラックの構成を説明するための概略的な平面図である。
【００３１】
本実施の形態においては、各層判別領域１１〜１３のウォブル周波数によって、各層を判別する。各層判別領域１１〜１３には、ディスク１周の中に少なくとも１箇所、基本周波数（約１ＭＨｚ）が得られるウォブルと、各層を識別するための識別周波数が得られるウォブルを形成しておく。例えば、図６に示す通り、内周側Ｌ０判別領域１１においては、グルーブ１１１が約１ＭＨｚ（９５６．５２２ｋＨｚ）の周期で均一に蛇行している。また、図７に示す通り、内周側Ｌ１判別領域１２においては、グルーブ１２１の一部が約１ＭＨｚの周期で蛇行し、残りの一部が約５００ｋＨｚ（４７８．２６１ｋＨｚ）の周期で蛇行している。更に、図８に示す通り、内周側Ｌ２判別領域１３においては、グルーブ１３１の１周のうちの一部が約１ＭＨｚの周期で蛇行し、残りの一部が約２５０ｋＨｚ（２３９．１３０ｋＨｚ）の周期で蛇行している。尚、これらグルーブ１１１，１２１及び１３１が蛇行する周期は、記録層判別情報を構成する。但し、ここで述べた基本周波数（約１ＭＨｚ）は、別の周波数を使用しても良い。また、各層の識別周波数も別の周波数を使用しても良い。
【００３２】
内周側Ｌ０判別領域１１がアクセスされた場合、ピックアップによって約１ＭＨｚの均一な信号が読み出される。これに対し、内周側Ｌ１判別領域１２がアクセスされた場合、ピックアップによって約１ＭＨｚの信号と約５００ｋＨｚの信号とが交互に読み出される。更に、内周側Ｌ２判別領域１３がアクセスされた場合、ピックアップによって約１ＭＨｚの信号と約２５０ｋＨｚの信号とが交互に読み出される。これら信号を判別することにより、アクセスしている記録層を判別する事が可能である。
【００３３】
尚、外周側Ｌ０判別領域ＯＬ０は、内周側Ｌ０判別領域ＩＬ０とほぼ同様の構成を有する。同様に、外周側Ｌ１判別領域ＯＬ１は内周側Ｌ１判別領域ＩＬ１と、外周側Ｌ２判別領域ＯＬ２は内周側Ｌ２判別領域ＩＬ２とほぼ同様の構成を有する。ただし、回転角度に対してのグルーブが蛇行する周期を内周側の記録層判別領域と外周側の記録層判別領域との間で揃える必要は無い。内周側の記録層判別領域ＩＬ０〜ＩＬ２と外周側の記録層判別領域ＯＬ０〜ＯＬ２との間では、信号の干渉が生じないからである。
【００３４】
［本実施の形態に係る光ディスクの効果］
次に、本実施の形態に係る光ディスク１の効果について説明する。本実施の形態に係る光ディスク１においては、情報トラックに、情報トラックに沿って記録層毎に異なる周期で且つ同一記録層内では隣接する情報トラック間で位相が一致するように形成された記録層判別情報が記録された記録層判別領域が設けられている。従って、オフトラック状態であっても、フォーカスしている記録層の記録層判別領域に記録されたウォブル信号を検出することができ、記録層判別情報を読み出すことが可能である。従って、このような実施の形態に係る光ディスクによれば、上記トラッキングを省略して高速かつ簡便に記録層の判別をすることが可能な光ディスクを提供することが可能となる。
【００３５】
また、本実施の形態においては、上記記録層判別領域がトラッキング制御を必要とする領域外に設けられている。従って、フォーカシングを行いつつ記録層判別領域の読み出しを行い、記録層を判別したのちに、トラッキング制御を開始してＰＩＣ領域の読み出しを行う事が可能である。このため、記録層の判別を素早く行うことができる。また、上記したピットによらず、ウォブル信号をキャリアとする変調信号とすることによっても、記録層、層総数、記録位置、記録終了位置などの情報を記憶することは可能である。
【００３６】
［本発明の第２の実施の形態に係る光ディスク］
次に、本発明の第２の実施の形態に係る光ディスクについて説明する。本実施の形態に係る光ディスクは基本的には第１の実施の形態に係る光ディスクと同様に構成されているが、記録層判別領域の構成が異なっている。
【００３７】
図９は、本実施の形態に係る内周側Ｌ０判別領域１１−２の概略的な拡大斜視図である。内周側Ｌ０判別領域１１−２の情報トラックは、グルーブ及びランドを有しておらず、ピット１１３−２を有している。
【００３８】
ピット１１３−２は、情報トラックの進行方向に沿って所定の間隔で形成されている。図９に示す通り、ピット１１３−２が形成される周期は、光ディスク１が所定の回転角度θだけ回転する間に読み出される情報トラック上の所定の距離である。ここで、回転角度θは整数倍することによって３６０°となる。従って、半径方向に隣接する情報トラックにおいて、ピット１１３−２が形成される周期は等しくなる。また、この周期は光ディスク１の回転角度θによって規定されているため、所定の波の波長λ１は、この波に対して外周側に隣接する波の波長λ２よりも短い。しかし、ＣＡＶ制御によって読み出される信号の周波数は一定となる。本実施の形態においては、この一定のピット信号の周波数により記録層を判別する。
【００３９】
図１０〜１２は、それぞれ本実施の形態に係る内周側Ｌ０判別領域１１−２、内周側Ｌ１判別領域１２−２及び内周側Ｌ２判別領域１３−２における情報トラックの構成を説明するための概略的な平面図である。図に示す通り、本実施の形態においては、それぞれピット１１３−２、ピット１２３−２又はピット１３３−２からなる情報トラックが、波状に形成されていない。
【００４０】
本実施の形態においては、各層判別領域１１−２〜１３−２のピットが形成される間隔によって、各層を判別する。各層判別領域１１〜１３−２には、ディスク１周の中に少なくとも１箇所、基本周波数が得られるような間隔で配置されたピットと、各層を識別するための識別周波数が得られるような間隔で配置されたピットを形成しておく。例えば、図１０に示す通り、内周側Ｌ０判別領域１１−２においては、４Ｔの長さを有するピット１１３−２が約８Ｔ長の周期で均一に形成されている。また、図１１に示す通り、内周側Ｌ１判別領域１２−２においては、４Ｔの長さを有する一部のピット１２３−２が８Ｔ長の周期で形成され、６Ｔの長さを有する残りのピット１２３−２が１２Ｔ長の周期で形成されている。更に、図１２に示す通り、内周側Ｌ２判別領域１３−２においては、４Ｔの長さを有する一部のピット１３３−２が８Ｔ長の周期で形成され、８Ｔの長さを有する残りのピット１３３−２が１６Ｔ長の周期で形成されている。尚、これらピット１１３−２，１２３−２及び１３３−２は、記録層判別情報を構成する。但し、ここで述べた基本周波数は、別の周波数を使用しても良い。また、各層の識別周波数も別の周波数を使用しても良い。
【００４１】
内周側Ｌ０判別領域１１−２がアクセスされた場合、ピックアップによって４Ｔの均一な信号が読み出される。これに対し、内周側Ｌ１判別領域１２−２がアクセスされた場合、ピックアップによって４Ｔの信号と６Ｔの信号とが交互に読み出される。更に、内周側Ｌ２判別領域１３−２がアクセスされた場合、ピックアップによって４Ｔの信号と８Ｔの信号とが交互に読み出される。これら信号を判別することにより、アクセスしている記録層を判別する事が可能である。
【００４２】
また、本実施の形態においても、外周側Ｌ０判別領域は、内周側Ｌ０判別領域１１−２と、外周側Ｌ１判別領域は内周側Ｌ１判別領域１２−２と、外周側Ｌ２判別領域は内周側Ｌ２判別領域１３−２とほぼ同様の構成を有する。ただし、回転角度に対してのピットが形成される周期を内周側と外周側との間で揃える必要は無い。また、上記のピット長は、記録層判別として使用できる周期であれば、上記以外の組合せでも良い。
【００４３】
本実施の形態に係る光ディスク１も、第１の実施の形態に係る光ディスク１と同様の効果を奏することが可能である。
【００４４】
［本発明の第３の実施の形態に係る光ディスク］
次に、本発明の第３の実施の形態に係る光ディスクについて説明する。本実施の形態に係る光ディスクは基本的には第１の実施の形態に係る光ディスクと同様に構成されているが、記録層判別領域の構成が異なっている。
【００４５】
図１３〜１５は、それぞれ本実施の形態に係る内周側Ｌ０判別領域１１−３、内周側Ｌ１判別領域１２−３及び内周側Ｌ２判別領域１３−３における情報トラックの構成を説明するための概略的な平面図である。図に示す通り、本実施の形態においては、ピット１１３−３、１２３−３及び１３３−３が、それぞれ第１の実施の形態に係るグルーブ１１１、１２１及び１３１と同様の周期で、光ディスク１の内周方向及び外周方向に周期的に蛇行している。また、ピット１１３−３、１２３−３及び１３３−３が、それぞれ第２の実施の形態に係るピット１１３−２、１２３−２及び１３３−２と同様の周期で形成されている。
【００４６】
また、本実施の形態においても、外周側Ｌ０判別領域は、内周側Ｌ０判別領域１１−３と、外周側Ｌ１判別領域は内周側Ｌ１判別領域１２−３と、外周側Ｌ２判別領域は内周側Ｌ２判別領域１３−３とほぼ同様の構成を有する。ただし、回転角度に対してのピットが蛇行する周期及びピットが形成される周期を内周側と外周側との間で揃える必要は無い。
【００４７】
本実施の形態に係る光ディスク１も、第１の実施の形態に係る光ディスク１と同様の効果を奏することが可能である。また、本実施の形態においては、ピット１１３−３、１２３−３及び１３３−３が蛇行する周期、並びに、ピット１１３−３、１２３−３及び１３３−３が形成される間隔を、共に記録層の判別に使用しているため、より確実で高速な記録層の判別が可能となる。
【００４８】
［その他の実施の形態に係る光ディスク］
上記第１〜第３の実施の形態に係る光ディスクは、いずれも記録層を３層有していたが、記録層を２層以上有する光ディスクであれば、好適に記録層の判別を行う事が望ましい。従って、本発明は、２層以上の記録層を有する光ディスク全般に適用可能である。
【００４９】
また、上記第１〜第３の実施の形態において、記録層Ｌ０においては内周側から外周側にかけて情報が記録され、記録層Ｌ１においては外周側から内周側にかけてその続きの情報が記録され、記録層Ｌ２においては内周側から外周側にかけて更にその続きの情報が記録されていた。しかしながら、情報の記録方向は適宜変更可能である。
【００５０】
また、例えば、第３の実施の形態において、ピット１１３−３、１２３−３及び１３３−３を、全て同じ長さ且つ同じ間隔で形成しても良い。
【００５１】
また、上記第３の実施の形態においては、ピット１１３−３、１２３−３及び１３３−３が蛇行する周期、並びに、ピット１１３−３、１２３−３及び１３３−３が形成される間隔を、共に記録層の判別に使用していたが、例えば図１６に示す通り、ピット１１３−４を所定の周期で蛇行させ、この周期によって記録層の判別を行い、ピット１１３−４が形成される間隔によって記録層に関する情報を記録することも可能である。ここで言う記録層に関する情報とは、上記コンテンツ情報とは異なる情報であり、例えば光ディスクが有する記録数の層数（第１〜第３の実施の形態においては３層。）や、当該記録層におけるコンテンツ情報の開始位置、終了位置等が考えられる。
【００５２】
また、上記第２の実施の形態においては、ピットが形成される間隔を一定とし、ピットの長さを変調させることにより、上記記録層に関する情報を含ませることが可能である。
【００５３】
また、上記第１〜第３の実施の形態においては、記録層判別領域における情報トラックが、グルーブ及びランドのみによって形成されているか、ピットのみによって形成されていた。しかしながら、例えば図１７に示す通り、グルーブ１１１−５、ランド１１２−５及びピット１１３−５から情報トラックを形成する事も可能である。尚、図１７においては、グルーブ１１１−５上にピット１１３−５を形成する、いわゆるインピット方式が採用されているが、ランド１１２−５上にピット１１３−５を形成する、いわゆるオンピット方式を採用することも可能であるし、グルーブ１１１−５及びランド１１２−５の双方の上にピット１１３−５を形成することも可能である。
【００５４】
また、上記第１〜第３の実施の形態においては、内周側の記録層判別領域がＢＣＡの内周端若しくは外周端に相当する半径位置から、第１の保護領域の内周端に相当する半径位置までの領域に、外周側の記録層判別領域がリードアウト領域の外周端に相当する半径位置よりも外周側の領域に設けられているが、記録層判別領域が形成される領域は適宜変更可能である。例えば、記録層Ｌ０及びＬ１においては、外周側の記録層判別領域を、リードアウト領域３４（図４）と重複する領域に設けることも可能である。
【００５５】
また、上記第１〜第３の実施の形態においては、記録層全てに記録層判別領域が設けられていた。しかしながら、例えば記録層Ｌ０に内周側Ｌ０判別領域ＩＬ０を設けなくても、他の記録層を読み出した場合の信号と判別することは、容易に可能である。従って、場合によっては所定の記録層についての記録層判別領域を省略することも可能である。また、内周側Ｌ０判別領域を省略した場合、例えばＢＣＡを拡張することも可能である。
【００５６】
また、上記第１〜第３の実施の形態においては、各記録層の内周側と外周側にそれぞれ記録層判別領域が設けられていた。しかしながら、例えば記録層の内周側にのみ記録層判別領域を設けることも可能であるし、内周側からデータが書き込まれている記録層については内周側にのみ記録層判別領域を設け、外周側からデータが書き込まれている記録層については外周側にのみ記録層判別領域を設けることも考えられる。
【００５７】
また、上記第１の実施の形態においては、グルーブを所定の周期で蛇行させていたが、ランドを所定の周期で蛇行させることも可能である。
【符号の説明】
【００５８】
１…光ディスク、１０…内周側領域、１１…内周側Ｌ０判別領域、１２…内周側Ｌ１判別領域、１３…内周側Ｌ２判別領域、２０…データ領域、３０…外周側領域、３１…外周側Ｌ０判別領域、３２…外周側Ｌ１判別領域、３３…外周側Ｌ２判別領域、３４…リードアウト領域、１１１、１２１、１３１…グルーブ、１１２、１２２、１３２…ランド、１１３−２、１２３−２、１３３−２…ピット。
【図１】
2019071163.tif 000003
【図２】
2019071163.tif 000004
【図３】
2019071163.tif 000005
【図４】
2019071163.tif 000006
【図５】
2019071163.tif 000007
【図６】
2019071163.tif 000008
【図７】
2019071163.tif 000009
【図８】
2019071163.tif 000010
【図９】
2019071163.tif 000011
【図１０】
2019071163.tif 000012
【図１１】
2019071163.tif 000013
【図１２】
2019071163.tif 000014
【図１３】
2019071163.tif 000015
【図１４】
2019071163.tif 000016
【図１５】
2019071163.tif 000017
【図１６】
2019071163.tif 000018
【図１７】
2019071163.tif 000019
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
内周側及び外周側の一方から他方に形成された渦巻き状の情報トラックに情報を記録する記録層を少なくとも２層備え、
前記記録層は、
内周側に位置する内周側領域と、
前記内周側領域に対して外周側に位置し、コンテンツ情報を記録するデータ領域と、
前記データ領域に対して外周側に位置する外周側領域と
を備え、
複数の前記記録層の前記内周側領域及び外周側領域の少なくとも一方には、前記情報トラックに、前記記録層を判別するための記録層判別情報が前記情報トラックに沿った周期信号として記録された記録層判別領域が設けられ、
前記記録層判別情報は、前記記録層毎に異なる周期で且つ同一記録層内では隣接する前記情報トラック間で前記周期信号の位相が半径方向に延びる線上で揃うように形成されている
ことを特徴とする光ディスク。
【請求項２】
前記記録層判別領域は、トラッキング制御を必要とする領域外に設けられている
ことを特徴とする請求項１記載の光ディスク。
【請求項３】
前記記録層判別領域は、ＢＣＡ（Burst Cutting Area）の外周側に設けられている
ことを特徴とする請求項１又は２記載の光ディスク。
【請求項４】
所定の前記記録層の前記内周側領域は、ＢＣＡ（Burst Cutting Area）と、前記ＢＣＡよりも外周側に設けられた第１の保護領域を有し、
前記所定の記録層と異なる他の記録層の前記外周側領域は、リードアウト領域を有し、
前記記録層判別領域は、前記ＢＣＡの内周端若しくは外周端に相当する半径位置から、前記第１の保護領域の内周端に相当する半径位置までの領域、及び、前記リードアウト領域の外周端に相当する半径位置よりも外周側の領域のうちの少なくとも１つに設けられている
ことを特徴とする請求項１〜３のいずれか１項記載の光ディスク。
【請求項５】
前記第１及び第２の記録層判別情報は、前記情報トラックに形成されたピットを含む
ことを特徴とする請求項１〜４のいずれか１項記載の光ディスク。
【請求項６】
前記第１及び第２の記録層判別情報は、前記情報トラックに形成されたウォブル溝を含む
ことを特徴とする請求項１〜５のいずれか１項記載の光ディスク。